(57)【要約】【課題】  設置場所に制限を受けることなく、飛翔する害虫を確実に捕捉して駆除することのできる害虫駆除装置を提供することを課題とする。【解決手段】  飛翔する害虫を誘導すべく発光する発光部を備えた害虫駆除装置であって、発光部の発光によって飛来する害虫を捕捉する捕捉手段を備え、該捕捉手段は、液体を表面に伝わせて上方側から下方に誘導する液誘導体と、液誘導体に誘導された液体を貯留する液漕とを備え、液誘導体を伝う液体に対して発光部の光を直接的又は間接的に照射するように構成されていることを特徴とする。【選択図】図１
2009022190.tif 000002
【特許請求の範囲】
【請求項１】
飛翔する害虫を誘導すべく発光する発光部を備えた害虫駆除装置であって、発光部の発光によって飛来する害虫を捕捉する捕捉手段を備え、該捕捉手段は、液体を表面に伝わせて上方側から下方に誘導する液誘導体と、液誘導体に誘導された液体を貯留する液漕とを備え、液誘導体を伝う液体に対して発光部の光を直接的又は間接的に照射するように構成されていることを特徴とする害虫駆除装置。
【請求項２】
液誘導体は、透明又は半透明な筒状体で構成されるとともに、両端を上下に位置させて起立状態で設けられ、前記発光部が筒状体に内装されている請求項１記載の害虫駆除装置。
【請求項３】
液誘導体は、両端を上下に位置させて螺旋状に形成され、前記発光部が液誘導体に取り囲まれている請求項１記載の害虫駆除装置。
【請求項４】
捕捉手段は、前記液漕内の液体を汲み上げて液誘導体の上部に供給するポンプを備えている請求項１乃至３の何れか１項に記載の害虫駆除装置。
【請求項５】
捕捉手段は、前記液漕内の液体を汲み上げるポンプを備え、液誘導体は、パイプを螺旋状に曲げて形成され、しかも、少なくとも上方側の端部が開口するとともに下方側に前記ポンプが流体的に接続されている請求項３記載の害虫駆除装置。
【請求項６】
光を受けて発電する光発電手段と、該光発電手段によって発電された電気を蓄える蓄電手段とを備え、該蓄電手段からの電力供給で発光部及びポンプを駆動するように構成されている請求項４又は５記載の害虫駆除装置。
【発明の詳細な説明】
【技術分野】
【０００１】
本発明は、飛翔する害虫を寄せ集めて駆除する害虫駆除装置に関する。
【背景技術】
【０００２】
従来から、害虫駆除装置には種々タイプのものが提供されており、その一つとして、飛翔する害虫を誘導すべく発光する発光部を備えたものが知られている。この種の害虫駆除装置は、例えば、発光部の周囲に高電圧を印荷する通電体が設けられ、発光部の光に誘導されて飛来する害虫が通電体に接触することで該害虫を感電死させるようにしたものや、発光部の下方に液体を貯留した液槽が配置され、発光部の光に誘導されて飛来する害虫が発光部に衝突して落下したときに、該害虫を液槽で受け止めて溺死させるようにしたもの等がある。
【発明の開示】
【発明が解決しようとする課題】
【０００３】
しかしながら、上述の如く、発光部の周囲に通電体が設けられた害虫駆除装置は、通電体に高電圧を印荷するため、感電事故の防止の観点から、不用意に人が触れることのない場所（例えば、高所）に設置しなければならない。また、該害虫駆除装置は、害虫が感電する際に耳障りなスパーク音が発生するため、人通りのある場所や近隣に住宅等がある場所に設置するには相応しくないものである。
【０００４】
他方、発光部の下方に液槽が配置された害虫駆除装置は、飛来する害虫が発光部に衝突して落下することを期待したものであるため、効率的な害虫の駆除を行うことができないといった問題がある。すなわち、発光部に衝突した害虫が再度飛翔する場合があり、害虫を発光部の光で誘導しながらも、害虫を確実に液槽で捕捉することができず、効率的な駆除を行うことができないといった問題がある。
【０００５】
そこで、本発明は、斯かる実情に鑑み、設置場所に制限を受けることなく、飛翔する害虫を確実に捕捉して駆除することのできる害虫駆除装置を提供することを課題とする。
【課題を解決するための手段】
【０００６】
本発明に係る害虫駆除装置は、飛翔する害虫を誘導すべく発光する発光部を備えた害虫駆除装置であって、発光部の発光によって飛来する害虫を捕捉する捕捉手段を備え、該捕捉手段は、液体を表面に伝わせて上方側から下方に誘導する液誘導体と、液誘導体に誘導された液体を貯留する液漕とを備え、液誘導体を伝う液体に対して発光部の光を直接的又は間接的に照射するように構成されていることを特徴とする。
【０００７】
上記構成の害虫駆除装置によれば、液誘導体を伝う液体に対して発光部の光を直接的又は間接的に照射するように構成されているので、その光に誘われて飛来してくる害虫が液誘導体の表面を伝う液体に向けて突進してくる結果、液体が害虫に付着することになる。そして、液体の付着した害虫は、飛翔が妨げられて液槽内に落下するか、或いは、誘導面の表面を伝う液体の流れに乗って液槽内に導かれることになる。これにより、害虫を液槽内で死に至らせて駆除することができる。
【０００８】
本発明の一態様として、液誘導体は、透明又は半透明な筒状体で構成されるとともに、両端を上下に位置させて起立状態で設けられ、前記発光部が筒状体に内装されてもよい。このようにすれば、発光部が発光したときに液誘導体を介して液体に光が照射されるので、液誘導体及び液体から光が放たれた状態となり、その光に誘われて飛来してくる害虫が液誘導体に向けて突進し、該害虫に液誘導体の表面を伝う液体が付着することになる。そして、液体の付着した害虫は、飛翔が妨げられて液槽内に落下するか、或いは、誘導面の表面を伝う液体の流れに乗って液槽内に導かれることになる。これにより、害虫を液槽内で死に至らせて駆除することができる。
【０００９】
また、本発明の他態様として、液誘導体は、両端を上下に位置させて螺旋状に形成され、前記発光部が液誘導体に取り囲まれてもよい。このように液誘導体を螺旋状にすることによって上下方向に隙間が形成されるので、該液誘導体に取り囲まれた発光部を発光させると、液誘導体の形成する上下方向の隙間から発光部の光が外方に向けて照射されることになる。そうすると、その光が液誘導体を伝う液体に対しも照射された状態になるので、その光に誘われて飛来してくる害虫が液誘導体に向けて突進し、該害虫に液誘導体の表面を伝う液体が付着することになる。そして、液体の付着した害虫は、飛翔が妨げられて液槽内に落下するか、或いは、誘導面の表面を伝う液体の流れに乗って液槽内に導かれることになる。これにより、害虫を液槽内で死に至らせて駆除することができる。なお、この場合も、液誘導体を透明又は半透明にすれば、発光部の光をより効率的に外部に向けて照射することができる。
【００１０】
捕捉手段は、前記液漕内の液体を汲み上げて液誘導体の上部に供給するポンプを備えていることが好ましい。このようにすれば、装置内で液体を循環させるだけで害虫を捕捉して駆除することができる。
【００１１】
また、上述の如く、液誘導体が螺旋状に形成される場合、捕捉手段は、前記液漕内の液体を汲み上げるポンプを備え、液誘導体は、パイプを螺旋状に曲げて形成され、しかも、少なくとも上方側の端部が開口するとともに下方側に前記ポンプが流体的に接続されていることが好ましい。このようにすれば、ポンプによって汲み上げられた液体が液誘導体内を通って上方側に導かれ、その上方側の開口から溢れ出た液体が液誘導体の表面を伝って下降することになる。これにより、液誘導体自体を配管としても活用することができ、装置の小型化が可能となる。
【００１２】
そして、光を受けて発電する光発電手段と、該光発電手段によって発電された電気を蓄える蓄電手段とを備え、該蓄電手段からの電力供給で発光部及びポンプを駆動するように構成されていることがより好ましい。このようにすれば、電源等のない場所であっても当該害虫駆除装置を設置することができる。
【発明の効果】
【００１３】
本発明に係る害虫駆除装置によれば、設置場所に制限を受けることなく、飛翔する害虫を確実に捕捉して駆除することのできるという優れた効果を奏し得る。
【発明を実施するための最良の形態】
【００１４】
以下、本発明の第一実施形態に係る害虫駆除装置について、添付図面を参照しつつ説明する。
【００１５】
図１に示す如く、本実施形態に係る害虫駆除装置１は、飛翔する害虫を誘導すべく発光する発光部１０２と、該発光部１０２の発光によって飛来する害虫を捕捉する捕捉手段２０とを備えている。
【００１６】
前記発光部１０２は、例えば、電球や蛍光灯、発光ダイオード等の光源そのもので構成してもよいが、本実施形態においては、光源からの光を受け、その光を所定方向に照射（出射）させる導光体が採用されている。より具体的に説明すると、本実施形態に係る害虫駆除装置１は、発光部１０２を一構成とする照明手段１０を備えている。該照明手段１０は、光源１００と、該光源１００からの光を所定位置に集めるリフレクター１０１と、リフレクター１０１によって集められた光を、後述する液誘導体２００を伝う液体Ｗに照射する導光体（発光部）１０２とを備えている。
【００１７】
前記光源１００には、電球や蛍光灯、発光ダイオード等の種々のものを採用することができ、本実施形態においては、ハロゲン電球を採用している。該光源１００は、傘状に形成されたカバー１０３の下面側に設けられた端子に電気的に取り付けられる。前記リフレクター１０１は、光源１００を略完全に被うように形成され、導光体１０２に向けて光を放出するための開口１０４が形成されている。本実施形態に係るリフレクター１０１は、光源１００と同様にカバー１０３の下面側に設けられており、前記導光体１０２を光源１００の下方に配置すべく、光放出用の開口１０４が下向きの面に形成されている。
【００１８】
前記導光体１０２は、透明材料（樹脂、或いはガラス等）で構成されたもので、本実施形態において棒状に形成されている。そして、該導光体１０２は、一端部を下側にして他端をリフレクター１０１の開口１０４に位置させた状態で起立するように設けられている。該導光体１０２は、一端面から光が放出しないように、該一端面には遮光が施されている。すなわち、該導光体１０２は、他端面から入射した光を外周面から出射するようになっている。
【００１９】
前記捕捉手段２０は、液体Ｗを表面に伝わせて上方側から下方に誘導する液誘導体２００と、液誘導体２００に誘導された液体Ｗを貯留する液漕２０１とを備えている。そして、本実施形態に係る捕捉手段２０は、前記液漕２０１内の液体Ｗを汲み上げて液誘導体２００の上方側に供給するポンプＰを備えている。
【００２０】
前記液誘導体２００は、透明又半透明な筒状体で構成されている。そして、該液誘導体２００は、両端を上下に位置させて起立状態で設けられている。そして、前記照明手段１０の発光部（本実施形態においては、導光体）１０２が、筒状体からなる液誘導体２００に内装されている。すなわち、該液誘導体２００は、棒状の導光体１０２を取り囲んで起立状態で設けられている。
【００２１】
本実施形態に係る液誘導体２００は、下端が液槽２０１の底部２０１ａに接続されており、その状態で上端がリフレクター１０６よりも下方に位置するように形成されている。そして、該液誘導体２００は、内径が導光体１０２の外径よりも大径に形成されており、導光体１０２との間に液体Ｗを流通させる液体流通路Ｒを形成し、下端側に前記ポンプＰが流体的に接続されている。これにより、ポンプＰによって汲み上げられた液体Ｗが液体流通路Ｒを通って液誘導体２００の上端部から零れ出るようになっている。これにより、液誘導体２００の上端から零れ出た液体Ｗが、液誘導体２００の外面を伝って下方に誘導されるようになっている。
【００２２】
前記液槽２０１は、底部２０１ａと、該底部２０１ａの外周端部に立設された外壁部２０１ｂとを備えており、前記底部２０１ａの中央に前記液誘導体２００の下端が接続されている。これにより、該液槽２０１は、液誘導体２００周りに液体Ｗを貯留する液体貯留領域Ｗａが形成されている。本実施形態に係る害虫駆除装置１は、前記液槽２０１がカバー１０３に対して下方側で対向して設けられている。そして、前記カバー１０３及び液槽２１０は、外周方向に間隔をあけて設けられた棒状をなす複数のフレーム１１０…を介して互いに連結されており、装置全体が一体化されている。
【００２３】
本実施形態に係る液槽２０１には、前記液体貯留領域Ｗａに捕虫用籠部材２０２が浸漬されている。該捕虫用籠部材２０２は、メッシュ材で構成されており、液槽２０１から引き上げることで、害虫のみを掬い上げて取り出せるようになっている。
【００２４】
本実施形態に係る液槽２０１は、上述の如く、中央に液誘導体２００が接続されることで、液体貯留領域Ｗａが平面視環状をなすことから、前記捕虫用籠部材２０２が液槽２０１の周方向に少なくとも二分割して形成されており、液槽２０１からの取り外しを容易に行えるようになっている。なお、本実施形態において、液体Ｗを汲み上げるポンプＰが液槽２０１内に設けられて液誘導体２００の下端側に接続されているので、前記捕虫用籠部材２０２は、ポンプＰを躱すように形成されている。
【００２５】
前記液槽２０１には、液体Ｗとして光透過性のある水や粘性液等を貯留すればよいが、本実施形態においては、光透過性のある粘性液を貯留するようにしている。これに伴って、前記ポンプＰには、液槽２０１に貯留される液体Ｗを液誘導体２００の上端まで汲み上げることのできるもの（例えば、ギアポンプやターボポンプ等）が採用される。そして、液体Ｗの流量は、液誘導体２００の外面を伝う液体Ｗの流れに対応した流量、すなわち、上方に向けて吹き出ることなく液誘導体２００の上端から径方向外側に溢れ出る程度の微小流量に設定される。このように液体Ｗの流量を適正に設定するために、例えば、ポンプＰの回転を制御したり、ポンプＰと液誘導体２００との間に流量調整バルブを設けたりすることが好ましい。
【００２６】
本実施形態に係る害虫駆除装置１は、光を受けて発電する光発電手段３０と、該光発電手段３０によって発電された電気を蓄える蓄電手段３１とを備えている。前記光発電手段３０は、カバー１０３上（本実施形態においてはカバー１０３上に設けられたケース（採番しない）の上）に設けられており、日中の光を受けて発電できるようになっている。これに対し、前記蓄電手段３１は、前記ケース内に収容され、雨風から保護できるようになっている。これにより、本実施形態に係る害虫駆除装置１は、電力供給の困難な場所であっても夜間に蓄電手段３１からの電力供給でポンプＰ及び照明手段１０を駆動できるようになっている。
【００２７】
そして、本実施形態に係る害虫駆除装置１は、光センサ（図示しない）がカバー１０３の外面側に設けられており、光センサや前記蓄電手段３１等が接続される制御基板３２が前記ケース内に収容されている。これにより、該害虫駆除装置１は、光センサに検知結果に基づいて制御基板（制御系）３２が周囲の明るさが所定の照度以下になったと判断すると、蓄電手段３１から照明手段１０及びポンプＰに電力が供給されるようになっている。
【００２８】
本実施形態に係る害虫駆除装置１は、以上の構成からなり、次に、作動について説明すると、上記構成の害虫駆除装置１は、所定の照度以下になる（例えば、夕方乃至夜間になる）と、蓄電手段３１からポンプＰ及び照明手段１０に電力が供給される。そうすると、光源１００の光が導光体１０２に入り、該導光体１０２の外周から光が放たれ、該光が液誘導体２００を介して液体Ｗに照射されることになる。すなわち、導光体１０２の発光で液誘導体２００全体が発光した状態になる。
【００２９】
そして、ポンプＰの駆動で液槽２０１内の液体Ｗが液誘導体２００内（液体流通路Ｒ）を介して該液誘導体２００の上端にまで汲み上げられ、液誘導体２００の上端から溢れ出た液体Ｗが液誘導体２００の外周を伝って下方（液槽２０１）に垂れ落ちることになる。
【００３０】
そして、導光体１０２の光に誘われて害虫が飛来してくると、害虫に対して液誘導体２００上を伝わる液体Ｗが付着し、害虫の飛翔を阻害した状態になる。特に、液体Ｗに粘性のあるものを採用すると、液体Ｗの粘性で害虫の羽根の動きをより確実に阻害することになる。そして、液体Ｗの付着した害虫は、そのまま液槽２０１内に落下するか液誘導体２００を伝う液体Ｗの流れによって液槽２０１内に導かれ、最終的に駆除されることになる。そして、液槽２０１内に害虫が貯まった場合、捕虫用籠部材２０２を液槽２０１から引き上げて害虫のみを掬い上げて廃棄する。
【００３１】
以上のように、本実施形態に係る害虫駆除装置１によれば、捕捉手段２０が液体Ｗを表面に伝わせて上方側から下方に誘導する液誘導体２００と、液誘導体２００に誘導された液体Ｗを貯留する液漕２０１とを備え、液誘導体２００を伝う液体Ｗに対して発光部１０２の光を液誘導体２００を介して間接的に照射するように構成されているので、害虫に液体Ｗを付着させて該害虫の飛翔を阻害することができる。そして、液体Ｗの付着した害虫（飛翔が阻害された害虫）を、液槽２０１（液体Ｗ）で受けとめて駆除することができる。
【００３２】
また、液誘導体２００が透明又半透明な筒状体で構成され、該液誘導体２００に発光部としての導光体１０２が内装されているので、液誘導体２００及び液体Ｗから光が放たれた状態にすることができる。これにより、害虫が液誘導体２００に向けて突進してくるため、該害虫に液誘導体２００の表面を伝う液体Ｗを確実に付着させて該害虫の飛翔を阻害することができる。また、本実施形態においては、液誘導体２００内を液体流通路Ｒとしたので、別途配管を設けることなく液体Ｗを液誘導体２００の上部に供給することができ、装置を小型化することができる。
【００３３】
さらに、捕捉手段２０が、前記液漕内の液体Ｗを汲み上げて液誘導体２００の上部側に供給するポンプＰを備えているので、装置内で液体Ｗを循環させるだけで害虫を捕捉して死に至らせることができる。
【００３４】
そして、光を受けて発電する光発電手段３０と、該光発電手段３０によって発電された電気を蓄える蓄電手段３１とを備え、該蓄電手段３１からの電力供給で前記ポンプＰ及び照明手段１０を駆動するように構成されるので、電源等のない場所であっても設置することができる。
【００３５】
次に、本発明の第二実施形態に係る害虫駆除装置について説明する。なお、第一実施形態に係る構成と同様の構成については、同一符号及び同一名称を付して説明を割愛し、相違する構成についてのみ詳細に説明することとする。
【００３６】
図２に示す如く、本実施形態に係る害虫駆除装置１’は、第一実施形態と同様に、害虫を集めるべく発光する発光部１０’と、発光部１０’の発光によって飛来する害虫を捕捉する捕捉手段２０’とを備えている。
【００３７】
本実施形態に係る発光部１０’には、電球や蛍光灯、発光ダイオード等の種々のものを採用することができ、本実施形態においては、直管状の蛍光灯が採用されている。該蛍光灯１０’は、一端側の電極を上側にするとともに他端側の電極を下側にして起立状態で設けられている。そして、本実施形態において、発光部１０’に電力が供給される蛍光灯そのものが採用されているため、漏電を防止すべく透明な筒体１２０が蛍光灯１０’に外嵌されている。該筒体１２０は、上端部がカバー１０３に接続される一方、下端部が液槽２０１’の内壁部２０１ｃ（及び、後述する支持体２０３’）に接続されており、液体Ｗが蛍光灯１０’に付着するのを防止している。
【００３８】
そして、該蛍光灯１０’は、一端側の電極がカバー１０３の下部に設けられた接点に電気的に接続され、他端側の電極が液槽２０１’に連設された接点に電気的に接続されている。該害虫駆除装置１’もまた、第一実施形態と同様に、光を受けて発電する光発電手段３０や、該光発電手段３０によって発電された電気を蓄える蓄電手段３１、光センサ、該光センサや蓄電手段３１等を接続する制御基板３２を備えており、所定の照度以下になると蓄電手段３１から電力供給するようになっている。これに伴い、蛍光灯１０’及びポンプＰは、前記制御基板３２’を介して蓄電手段３１に電気的に接続されている。
【００３９】
前記捕捉手段２０’は、第一実施形態と同様、液体Ｗを表面に伝わせて上方側から下方に誘導する液誘導体２００’と、液誘導体２００’に誘導された液体Ｗを貯留する液槽２０１’と、該液槽２０１’内の液体Ｗを汲み上げて液誘導体２００’の上部側に供給するポンプＰを備えている。
【００４０】
本実施形態に係る液誘導体２００’は、両端を上下に位置させて螺旋状に形成されており、発光部（本実施形態においては蛍光灯）１０’を取り囲むように設けられている。これにより、液誘導体２００’を伝う液体Ｗに上下の隙間（ピッチ間）から蛍光灯１０’の光を照射できるようになっている。また、本実施形態に係る液誘導体２００’は、透明又は半透明に形成されており、当該部分においても蛍光灯１０’の光を外側（液誘導体２００’を伝う液体Ｗ）に照射できるようになっている。
【００４１】
本実施形態に係る液誘導体２００’は、両端が開口したパイプを螺旋状に曲げて形成されており、下端開口にポンプＰが接続されている。これにより、液誘導体２００’自身が液体Ｗを上方に供給する液体流通路Ｒ’を形成している。すなわち、該液誘導体２００’は、ポンプＰを駆動して汲み上げられた液体Ｗを上端側から溢れ出ださせて液誘導体２００’の外面を伝うようになっている。
【００４２】
前記液槽２０１’は、ドーナツ状の底部２０１ａ’と、該底部２０１ａ’の外周端部に立設された外壁部２０１ｂ’と、底部２０１ａ’の内周端部に立設された内壁部２０１ｃ’とを備えており、外壁部２０１ｂ’と内壁部２０１ｃ’との間に液体Ｗを貯留する液体貯留領域Ｗａ’が形成されている。そして、蛍光灯１０’の他端（下端）側の電極を接続する接点の取り付けられた支持体２０３’が前記接点を内壁部２０１ｃ’で包囲されて領域内に位置させた状態で底部２０１ａ’に連設されている。そして、本実施形態においても液槽２０１’には、前記液体貯留領域Ｗａ’に捕虫用籠部材２０２’が浸漬されており、液体Ｗに入った害虫を掬い上げて取り出せるようになっている。
【００４３】
本実施形態に係る害虫駆除装置１’は、以上の構成からなり、次に、作動について説明すると、上記構成の害虫駆除装置１’は、第一実施形態と同様に、所定の照度以下になる（例えば、夕方乃至夜間になる）と、蓄電手段３１からポンプＰ及び発光部（蛍光灯）１０’に電力が供給される。そうすると、蛍光灯１０’が発光するとともに、ポンプＰの駆動で液槽２０１’内の液体Ｗが液誘導体２００’内（液体流通路Ｒ’）を介して該液誘導体２００’の上端にまで汲み上げられ、液誘導体２００’の上端から溢れ出た液体Ｗが液誘導体２００’を伝って下方（液槽２０１’）に垂れ落ちることになる。
【００４４】
そして、蛍光灯１０’の光に誘われて害虫が飛来してくると、害虫に対して液誘導体２００’上を伝わる液体Ｗが付着し、害虫の飛翔を阻害した状態になる。特に、液体Ｗに粘性のあるものを採用すると、液体Ｗの粘性で害虫の羽根の動きをより確実に阻害することになる。そして、液体Ｗの付着した害虫は、そのまま液槽２０１’内に落下するか液誘導体２００’を伝う液体Ｗの流れによって液槽２０１’内に導かれ、最終的に駆除されることになる。そして、液槽２０１’内に害虫が貯まった場合、捕虫用籠部材２０２’を液槽２０１’から引き上げて害虫のみを掬い上げて廃棄する。
【００４５】
以上のように、本実施形態に係る害虫駆除装置１’においても、捕捉手段２０’が液体Ｗを表面に伝わせて上方側から下方に誘導する液誘導体２００’と、液誘導体２００’に誘導された液体Ｗを貯留する液漕２０１’とを備え、液誘導体２００’を伝う液体Ｗに対して発光部１０’の光を直接的に照射するように構成されているので、害虫に液体Ｗを付着させて該害虫の飛翔を阻害することができる。そして、液体Ｗの付着した害虫（飛翔が阻害された害虫）を、液槽２０１’（液体Ｗ）で受けとめて駆除することができる。
【００４６】
また、液誘導体２００’が両端を上下に位置させて発光部１０’を取り囲むように螺旋状に形成されているので、上下方向に形成される隙間から発光部１０’の光を放つことができ、効率よく害虫を集めることができる。また、液誘導体２００’を透明又は半透明にしているので、発光部１０’の光をより効率的に外部に向けて放つことができる。また、本実施形態においては、パイプを螺旋状に曲げて液誘導体２００’を形成し、その下方側にポンプＰを流体的に接続したので、液誘導体２００’自体が液体Ｗを上方側に供給する配管として機能するため、別途配管を設ける必要がなく、装置を小型化することができる。
【００４７】
さらに、捕捉手段２０’が、前記液槽２０１’内の液体Ｗを汲み上げて液誘導体２００’の上方側に供給するポンプＰを備えているので、装置内で液体Ｗを循環させるだけで害虫を捕捉して駆除することができる。
【００４８】
そして、光を受けて発電する光発電手段３０と、該光発電手段３０によって発電された電気を蓄える蓄電手段３１とを備え、該蓄電手段３１からの電力供給で前記ポンプＰ及び照明手段１０’を駆動するように構成されるので、電源等のない場所であっても設置することができる。
【００４９】
次に、本発明の第三実施形態に係る害虫駆除装置について説明する。本実施形態に係る害虫駆除装置は、図３に示す如く、第一及び第二実施形態と同様に、害虫を誘導すべく発光する発光部１０５と、発光部１０５の発光によって飛来する害虫を捕捉する捕捉手段２０”とを備えている。
【００５０】
本実施形態に係る害虫駆除装置１”は、前記発光部１０５を一構成とする照明手段１０”を備えている。該照明手段１０”は、前記発光部１０５と、該発光部１０５の光を液体Ｗに向けて照射させるためのリフレクター１０６とを備えている。
【００５１】
本実施形態に係る発光部１０５は、複数の蛍光灯１０５’…で構成されている。該複数の蛍光灯１０５’…は、同一平面上に並ぶように、上下方向又は横方向（図においては上下方向）に間隔をあけて並列に配置されている。
【００５２】
前記リフレクター１０６は、プレート状に形成されており、複数の蛍光灯１０５’…に沿うように、各蛍光灯１０５’…に対向して設けられている。該害虫駆除装置１”もまた、第一及び第二実施形態と同様に、光を受けて発電する光発電手段（図示しない）や、該光発電手段によって発電された電気を蓄える蓄電手段（図示しない）、光センサ（図示しない）、該光センサや蓄電手段３１等を接続する制御基板（図示しない）を備えており、所定の照度以下になると蓄電手段３１から電力供給するようになっている。これに伴い、複数の蛍光灯１０５’…及びポンプＰが前記制御基板を介して蓄電手段に電気的に接続されている。
【００５３】
前記捕捉手段２０”は、第一及び第二実施形態と同様、液体Ｗを表面に伝わせて上方側から下方に誘導する液誘導体２００”と、液誘導体２００”に誘導された液体Ｗを貯留する液槽２０１”と、該液槽２０１”内の液体Ｗを汲み上げて液誘導体２００”の上部側に供給するポンプＰとを備えている。
【００５４】
本実施形態に係る液誘導体２００”は、透明又は半透明なプレートで構成されており、リフレクター１０５とは反対側で複数の蛍光灯１０５’…と対向するように設けられている。そして、該液誘導体２００”は、蛍光灯１０５’…と対向する面とは反対側の面が先下りに傾斜した状態になるように設けられている。該液誘導体２００”は、傾斜した表面に液体Ｗを伝わせるようになっており、その液体Ｗが幅方向で零れないように両側端にリブ（採番しない）が立設されている。
【００５５】
そして、前記液槽２０１”は、樋状に形成されており、液誘導体２００”の下端を受けるように配設されている。該液槽２０１”内には、貯留した液体Ｗを汲み上げるポンプＰ、液槽２０１”の形状に対応して形成された捕虫用籠部材２０２”が収容されている。なお、捕虫用籠部材２０２”は、第一及び第二実施形態と同様にメッシュで構成されており、ポンプＰを躱して液槽２０１”内（液体Ｗ）内に収容できるようになっている。
【００５６】
そして、本実施形態に係る害虫駆除装置１”は、前記ポンプＰで汲み上げた液体Ｗを液誘導体２００”の上端側に供給するための液体供給手段２１０を備えている。該液体供給手段２１０は、液誘導体２００”の態様に応じて形成されもので、本実施形態において液誘導体２００”が幅のあるプレート状に形成されているので、幅全域に液体Ｗを供給できるようになっている。具体的には、本実施形態に液体供給手段２１０は、液槽２０１”と同様に樋状に形成されており、液槽２０１”に浸漬されたポンプＰに配管Ｒ”を介して接続されている。該液体供給手段２１０は、長手方向に延びて対向する一対の壁部のうちの一方が他方よりも低く形成されており、液槽２０１”から汲み上げられた液体Ｗが一方の壁部から溢れ出ることで、液誘導体２００”の上端側に供給できるようになっている。
【００５７】
本実施形態に係る害虫駆除装置１”は、以上の構成からなり、次に、作動について説明すると、上記構成の害虫駆除装置１”は、第一及び第二実施形態と同様に、所定の照度以下になる（例えば、夕方乃至夜間になる）と、蓄電手段３１からポンプＰ及び発光部１０５（蛍光灯１０５’…）に電力が供給される。そうすると、蛍光灯１０５’…が発光し、その光が液誘導体２００”を介して液体Ｗに照射されることになる。また、これに併せて、ポンプＰの駆動で液槽２０１”内の液体Ｗが液体供給手段２１０に汲み上げられ、それから供給される液体Ｗが、液誘導体２００”を伝って下方（液槽２０１”）に垂れ落ちることになる。
【００５８】
そして、液体Ｗに照射された光に誘われて害虫が飛来してくると、害虫に対して液誘導体２００”上を伝わる液体Ｗが付着し、害虫の飛翔を阻害した状態になる。特に、液体Ｗに粘性のあるものを採用すると、液体Ｗの粘性で害虫の羽根の動きをより確実に阻害することになる。そして、液体Ｗの付着した害虫は、そのまま液槽２０１”内に落下するか液誘導体２００”を伝う液体Ｗの流れによって液槽２０１”内に導かれ、最終的に駆除されることになる。そして、液槽２０１”内に害虫が貯まった場合、捕虫用籠部材２０２”を液槽２０１”から引き上げて害虫のみを掬い上げて廃棄する。
【００５９】
以上のように、本実施形態に係る害虫駆除装置１”においても、捕捉手段２０”が液体Ｗを表面に伝わせて上方側から下方に誘導する液誘導体２００”と、液誘導体２００”に誘導された液体Ｗを貯留する液漕２０１”とを備え、液誘導体２００”を伝う液体Ｗに対して発光部１０５…の光を液誘導体２００”を介して間接的に照射するように構成されているので、害虫に液体Ｗを付着させて該害虫の飛翔を阻害することができる。そして、液体Ｗの付着した害虫（飛翔が阻害された害虫）を、液槽２０１”（液体Ｗ）で受けとめて駆除することができる。
【００６０】
また、透明な液誘導体２００”を介して発光部１０５…の光を液体Ｗに照射するので、液誘導体２００”上を伝う液体Ｗに効率よく害虫を集めることができる。
【００６１】
さらに、捕捉手段２０”が、前記液槽２０１”内の液体Ｗを汲み上げて液誘導体２００”の上方側に供給するポンプＰを備えているので、装置内で液体Ｗを循環させるだけで害虫を捕捉して死に至らせることができる。
【００６２】
そして、光を受けて発電する光発電手段３０と、該光発電手段３０によって発電された電気を蓄える蓄電手段３１とを備え、該蓄電手段３１からの電力供給で前記ポンプＰ及び照明手段１０”を駆動するように構成されるので、電源等のない場所であっても設置することができる。
【００６３】
本実施形態に係る害虫駆除装置１”は、傾斜した一面側に害虫を集めるようにできるので、例えば、リフレクター１０６側を建物等に壁面に沿わせて配置しても周辺の美観を損なうことなく設置することができる。
【００６４】
尚、本発明は、上記何れの実施形態にも限定されるものではなく、本発明の要旨を逸脱しない範囲内において種々変更を加え得ることは勿論である。
【００６５】
上記第一実施形態において、照明手段１０の一構成である導光体１０２を発光部としたが、これに限定されるものではなく、例えば、第二及び第三実施形態のように発光部１０２をそれ自身で発光する蛍光灯や発光ダイオード等で構成してもよい。但し、このように電力供給によってそれ自身が発光するものを採用する場合、漏電を確実に防止するのに、透明な筒体等で発光部１０２を覆うようにすることは言うまでもない。また、第二実施形態や第三実施形態に係る害虫駆除装置１に対し、第一実施形態に係る照明手段１０（発光部１０２）を採用してもよいことは言うまでもない。
【００６６】
上記第二実施形態において、両端が開口したパイプを螺旋状に曲げて液誘導体２００’を形成し、該液誘導体２００’の下方側の開口にポンプＰを接続したが、これに限定されるものではなく、例えば、一端が開口したパイプを螺旋状に曲げて液誘導体２００’を形成し、その開口が上方側に位置させ、液誘導体（パイプ）２００’の下方側の何れかの部位にポンプＰを流体的に接続するようにしてもよい。
【００６７】
上記第一及び第二実施形態において、液誘導体２００，２００’で液体Ｗを流通させる液体流通路Ｒ，Ｒ’を形成するようにしたが、これに限定されるものではなく、例えば、液体Ｗを供給する系統を別系統で構成し、液誘導体２００，２００’の上部に供給できるようにしてもよい。従って、必ずしも液体Ｗを循環させる必要がなく、例えば、水を液誘導体２００，２００’の上端側に供給し、液槽２０１，２０１’に貯まる液体Ｗを排出させる一方通行の流れを形成してもよい。従って、必ずしも液体Ｗを循環させるポンプＰを設ける必要はなく、液体Ｗを循環させる場合に設けるようにすればよい。但し、排水等の観点から装置内で液体Ｗを循環させることが好ましいことは言うまでもない。
【００６８】
上記各実施形態において、光発電手段３０と蓄電手段３１とを設け、蓄えた電気で駆動するようにしたが、これに限定されるものではなく、家庭用電源等から電力供給を受けられるようにしてもよいし、光発電手段３０と蓄電手段３１とを設けるとともに家庭用電源等からも電力供給を受けられるようにしてもよい。
【００６９】
上記各実施形態において、言及しなかったが、液槽２０１，２０１’，２０１”に貯留する液体Ｗは、害虫が好むホルモン成分を含有させたものであれば、発光部１０２，１０’，１０５の光に加えてホルモン成分で害虫をより効率的に寄せ集めることができる。また、粘性のあるものに加え、殺虫成分を含ませれば、害虫をより確実に死に至らせることができる。但し、殺虫成分には毒性の強いものもあるため、人の触れる虞が高い場所に設置する場合には、人体に対する毒性のないものや弱いものを採用することは言うまでもない。
【００７０】
上記各実施形態において、液誘導体２００，２００’，２００”の均一な外面に液体Ｗを伝わせるようにしたが、例えば、液誘導体２００，２００’，２００”の液体Ｗを伝わせる面上に、液誘導体２００，２００’，２００”の液体Ｗを伝わせる方向に延びる溝を、液体Ｗの伝わせる方向と直交する方向に間隔をあけて複数形成してもよい。このようにすれば、溝内を流れる液体Ｗに誘導されつつ周囲の液体Ｗも下方に向けて流れることになり、円滑な液体Ｗの流れを形成することができる。特に、第二実施形態のように液誘導体２００’の形状が特殊である場合には有効である。
【００７１】
上記各実施形態において、発光部１０２，１０’，１０５よりも外側に液誘導体２００，２００’，２００”を配置し、該発光部１０２，１０’，１０５の光を内側から照射するようにしたが、これに限定されるものではなく、例えば、液誘導体２００，２００’，２００”を伝う液体Ｗに対し、液誘導体２００よりも外側から光を照射するように発光部１０２，１０’，１０５を設けてもよい。但し、発光部１０２，１０’，１０５が液誘導体２００，２００’，２００”よりも外側に配置すると、発光部１０２，１０’，１０５に向けて害虫が飛来する可能性が高まるため、例えば、発光部１０２を液誘導体２００，２００’，２００”の近傍に配置したり、発光部１０２，１０’，１０５の光が液誘導体２００，２００’，２００”に集中的に照射されるようにリフレクターを設けたりすればよい。
【図面の簡単な説明】
【００７２】
【図１】本発明の第一実施形態に係る害虫駆除装置の概略縦断面図を示す。
【図２】本発明の第二実施形態に係る害虫駆除装置の概略縦断面図を示す。
【図３】本発明の第三実施形態に係る害虫駆除装置の概略縦断面図を示す。
【符号の説明】
【００７３】
１，１’，１”…害虫駆除装置、１０…照明手段，１０’…発光部（蛍光灯）、１０”…照明手段、２０，２０’，２０”…捕捉手段、３０…光発電手段、３１…蓄電手段、３２…制御基板、１００…光源、１０１…リフレクター、１０２…導光体（発光部）、１０３…カバー、１０４…開口、１０５…発光部、１０５’…蛍光灯、１０６…リフレクター、２００，２００’，２００”…液誘導体、２０１，２０１’，２０１”…液槽、２０１ａ…底部、２０１ｂ…外壁部、２０１ｃ…内壁部、２０２，２０２’，２０２”…捕虫用籠部材、Ｐ…ポンプ、Ｒ，Ｒ’…液体流通路、Ｒ”…配管、Ｗ…液体、Ｗａ…液体貯留領域
【図１】
2009022190.tif 000003
【図２】
2009022190.tif 000004
【図３】
2009022190.tif 000005